(57)【特許請求の範囲】
【請求項１】
顧客ビルに設けられ、顧客ビルの玄関扉及び各居室のドアの近傍に設けられるカードリーダーに所定のカードを挿入すると、そのカードの情報を読み込んで前記玄関扉及び前記居室のドアの電気錠に対する解錠施錠制御を行うとともに、前記電気錠の解錠施錠の時刻である動作情報を前記玄関扉及び前記居室のドア毎に記憶するコントローラーと、
前記電気錠の解錠施錠の指令信号を出力する顧客用指令装置と、
前記コントローラー及び前記電気錠の動作試験のための試験信号を少なくとも出力する試験用指令装置と、
前記指令信号及び試験信号を受信して前記コントローラーに配信するとともに前記コントローラーに記憶されている前記動作情報を取得してその動作情報を記憶するセンター装置とを少なくとも包含し、
前記センター装置を、前記顧客用指令装置からの通信要求か前記試験用指令装置からの通信要求かを判定する判定手段と、滞留している複数の前記指令信号を所定の順番で該当するコントローラーへ配信する優先順位設定手段と、前記試験信号を識別して試験専用回線を選択して該当コントローラーへ配信する試験回線選択手段を少なくとも備えてなる構成とし、
前記優先順位設定手段は、
前記顧客ビルの前記コントローラーが少なくとも稼働状況か試験状況かを識別する稼働状態識別部と、この稼働状態識別部で識別された状況に応じて優先順位設定を行う優先順位設定部と、前記顧客用指令装置からの通信要求に応じて通信回線を介して前記顧客ビルの前記コントローラーと通信を行う通常送信プロセスとからなり、
前記試験回線選択手段は、
前記稼働状態識別部と、前記優先順位設定部と、前記試験用指令装置からの通信要求に応じて通信回線を介して前記顧客ビルの前記コントローラーと通信を行う試験送信プロセスとからなり、
前記判定手段における判定が、前記顧客用指令装置からの通信要求と判定された場合には前記優先順位設定部における優先順位の設定を高くし、前記試験用指令装置からの通信要求と判定された場合には前記優先順位設定部における優先順位の設定を低くすることを特徴とする入退室管理システム。
【発明の詳細な説明】
【技術分野】
【０００１】
本発明は、入退室管理システムに関するものである。
【背景技術】
【０００２】
従来の入退室管理システムとしては、システムの初期化を伴う保守作業中に、通行者が在室中の場合、位置情報の管理を復旧させてエラーを防止するようにしたものが開発されている（例えば、特許文献１参照）。
【特許文献１】特開２００４−９４３２８号公報（段落番号００１２〜段落番号００２３、図１〜図３）
【発明の開示】
【発明が解決しようとする課題】
【０００３】
しかしながら、上記特開２００４−９４３２８号公報などに記載された従来の入退室管理システムでは、顧客が実施したドア解錠動作などの通信要求と立上げ試験のための要求が順番に処理されており、顧客の要求と立上げ試験の要求のいずれかの区別がつかないために、立上げ試験が多箇所で開始されると、顧客の通信要求が、後回しになって即時に実行されないので、顧客からの苦情が多いという問題があった。しかも、立上げ試験中でも、顧客の通信要求を処理するためには、通信回線を多回線とすることが必要であって、高コストにならざるをえないという問題があった。
【０００４】
本発明の目的は、上記問題点にかんがみなされたものであって、顧客の通信要求を優先処理し、立上げ試験中であっても、顧客の通信要求に影響を与えないようにした入退室管理システムを提供することにある。
【課題を解決するための手段】
【０００５】
上記目的を達成するために、本発明は、顧客ビルに設けられ、顧客ビルの玄関扉及び各居室のドアの近傍に設けられるカードリーダーに所定のカードを挿入すると、そのカードの情報を読み込んで前記玄関扉及び前記居室のドアの電気錠に対する解錠施錠制御を行うとともに、前記電気錠の解錠施錠の時刻である動作情報を前記玄関扉及び前記居室のドア毎に記憶するコントローラーと、前記電気錠の解錠施錠の指令信号を出力する顧客用指令装置と、前記コントローラー及び前記電気錠の動作試験のための試験信号を少なくとも出力する試験用指令装置と、前記指令信号及び試験信号を受信して前記コントローラーに配信するとともに前記コントローラーに記憶されている前記動作情報を取得してその動作情報を記憶するセンター装置とを少なくとも包含し、前記センター装置を、前記顧客用指令装置からの通信要求か前記試験用指令装置からの通信要求かを判定する判定手段と、滞留している複数の前記指令信号を所定の順番で該当するコントローラーへ配信する優先順位設定手段と、前記試験信号を識別して試験専用回線を選択して該当コントローラーへ配信する試験回線選択手段を少なくとも備えてなる構成とし、前記優先順位設定手段は、前記顧客ビルの前記コントローラーが少なくとも稼働状況か試験状況かを識別する稼働状態識別部と、この稼働状態識別部で識別された状況に応じて優先順位設定を行う優先順位設定部と、前記顧客用指令装置からの通信要求に応じて通信回線を介して前記顧客ビルの前記コントローラーと通信を行う通常送信プロセスとからなり、前記試験回線選択手段は、前記稼働状態識別部と、前記優先順位設定部と、前記試験用指令装置からの通信要求に応じて通信回線を介して前記顧客ビルの前記コントローラーと通信を行う試験送信プロセスとからなり、前記判定手段における判定が、前記顧客用指令装置からの通信要求と判定された場合には前記優先順位設定部における優先順位の設定を高くし、前記試験用指令装置からの通信要求と判定された場合には前記優先順位設定部における優先順位の設定を低くすることを特徴としている。
【発明の効果】
【０００７】
本発明によれば、コントローラーに稼動状態を設定することで、通常の顧客からの通信要求と、立上げ試験中のコントローラーへの通信要求を区別することで、全ての通信要求に対する優先順位を設定することが可能となり、顧客の通信要求が後回しにされることがなく、大口顧客からの通信要求を優先的に処理することを可能にした入退室管理システムが得られる。
【発明を実施するための最良の形態】
【０００８】
以下、本発明に係る入退室管理システムの実施形態を、図１〜図２に、基づいて説明する。図１は、本発明の一実施形態に係る入退室管理システムの構成を示すブロック図である。図２は、本発明の一実施形態に係る入退室管理システムの処理手順を示すフローチャートである。
【０００９】
図１に示す一実施形態に係る入退室管理システム１は、顧客ビル２〜２Ｎの玄関扉及び各居室のドアの近傍に設けられるカードリーダー３〜３Ｎと、このカードリーダー３〜３Ｎに所定のカード（図示せず）を挿入することによりそのカードの情報を読み込んで玄関扉及び居室のドアの電気錠４〜４Ｎに対する解錠施錠制御を行うとともに、電気錠４〜４Ｎの解錠施錠の時刻である動作情報等を玄関扉及び居室のドア毎に記憶するコントローラー５〜５Ｎとから少なくとも、構成されている。カードリーダー３〜３Ｎは、所定のカード（図示せず）を読み取り、顧客ビル２〜２Ｎの居住者か否かを認証する機能を有している。
【００１０】
コントローラー５〜５Ｎは、ＩＳＤＮ回線などの通信回線６により、センター装置７との間で通信可能に接続されている。コントローラー５〜５Ｎは、カードリーダー３〜３Ｎによる所定のカード（図示せず）の読み込みやその所定のカードを認証して作動させた電気錠４〜４Ｎに関する情報を入退室情報として記憶するとともに、その記憶した入退室情報をセンター装置７からの指令によって、そのセンター装置７に配信する機能を有している。また、コントローラー５〜５Ｎは、自動ドアの開閉制御若しくは照明装置に点滅制御を行う機能を備えるようにしてある。
【００１１】
センター装置７には、図１に示すように、電気錠４〜４Ｎの解錠及び施錠の指令信号を出力する顧客用指令装置を構成するところの顧客用パーソナルコンピューター８（以下、顧客ＰＣ８と称する）と、コントローラー５〜５Ｎ及び電気錠４〜４Ｎの動作試験のための試験信号を少なくとも出力する試験用指令装置を構成するところの立上げ試験用パーソナルコンピューター９（以下、立上げ試験用ＰＣ９と称する）とが、インターネット回線などの通信回線１０を介して、通信可能に接続されている。顧客ＰＣ８は、各顧客ビル２〜２Ｎの管理を行う管理室に設けられ、各顧客ビル２〜２Ｎの所有者若しくは管理者が所有するものである。立上げ試験用ＰＣ９は、各顧客ビル２〜２Ｎに入退室管理システムを導入するときに使用するものである。
【００１２】
センター装置７は、指令信号及び試験信号を受信してコントローラー５〜５Ｎに配信し、かつ、コントローラー５〜５Ｎに記憶されている動作情報を取得してその動作情報を記憶する機能を有しており、図１に示すように、顧客ＰＣ８及び立上げ試験用ＰＣ９からの通信要求を受信する通信手段１１と、通信手段１１で受信した通信要求を制御する制御装置１２と、各種管理情報を表示する表示装置１３と、各種管理情報を記憶する記憶装置１４と、顧客ビル２〜２Ｎにおけるコントローラー５〜５Ｎに対して、未稼働、休止、試験及び稼動の４種類の稼動状況を識別する稼動状態識別部１５と、前記４種類の稼動状況に応じて優先順位設定を行う優先順位設定部１６と、顧客からの通信要求を送信するための送信バッファ１７と、顧客からの通信要求に対して通信回線６により顧客ビル２〜２Ｎに設置したコントローラー５〜５Ｎと通信を行う通常送信プロセス１８〜１８Ｎと、試験送信プロセス１９とを、備えている。
【００１３】
センター装置７では、稼動状態識別部１５と優先順位設定部１６と通常送信プロセス１８〜１８Ｎにより、滞留している複数の前記指令信号を所定の順番で該当するコントローラー５〜５Ｎへ配信するところの優先順位設定手段を、かつ、稼動状態識別部１５と優先順位設定部１６と試験送信プロセス１９とにより、前記試験信号を識別して試験専用回線を選択して該当コントローラー５〜５Ｎへ配信する試験回線選択手段を、それぞれ構成するようにしてある。優先順位設定手段によって設定される優先順序は、顧客ビル２〜２Ｎに設置されるところの、コントローラー５〜５Ｎの数の順としてある。
【００１４】
上記入退室管理システム１では、顧客ビル２の管理人が顧客ビル２の電気錠４を解錠する場合には、その顧客ビル２の管理人が、顧客ＰＣ８とセンター装置７の通信手段１１とを、通信回線１０を介して接続することにより、顧客ＰＣ８からの情報がセンター装置７側で受信されるようにしてある。また、上記入退室管理システム１では、立上げ試験を実施中の顧客ビル２Ｎのコントローラー５Ｎに対して、立上げ試験用ＰＣ９を用いて、顧客ビル２Ｎの電気錠４Ｎの解錠試験を行いたいときは、立上げ試験用ＰＣ９を操作する試験作業者が、立上げ試験用ＰＣ９とセンター装置７の通信手段１１とを、通信回線１０を介して接続することにより、立上げ試験用ＰＣ９からの情報がセンター装置７側で受信できるようにしてある。
【００１５】
次に、上記構成からなる入退室管理システム１の動作手順を、図２に基づき、具体的に説明する。
【００１６】
まず、図２のステップＳ１に示すように、センター装置７の通信手段１１が情報を受信すると、その受信した情報が、顧客ＰＣ８からの情報か否かが、図２のステップＳ２にて、判定される。その判定は、センター装置７の制御装置１２にて、通信手段１１から送信されてくる顧客ＰＣ８を特定する情報と予め記憶装置１４に記憶されている顧客ＰＣ８の特定情報とを、つき合わせることにより行われるとともに、記憶装置１４に記憶されている所定のメニュー画面が、通信手段１１から通信回線１０を介して顧客ＰＣ８に送信される
次いで、図２のステップＳ２おいて、通信手段１１から送信されてくる情報が、予め記憶装置１４に記憶(登録)された顧客ＰＣ８からであると判定された場合には、図２のステップＳ３に進み、その情報に対して、稼動状態識別部１５にてコントローラー５〜５Ｎの稼動状態に関する情報（状態情報）が付加され、かつ、優先順位設定部１６にて稼動に対する優先順位に関する情報(優先順位情報)が付加された後、図２のステップＳ４に進み、送信バッファ１７に格納される。例えば、顧客ＰＣ８からセンター装置７の制御装置１２へ顧客ビル２の電気錠４の解錠に関する情報である場合には、その解錠に関する情報に、稼動状態識別部１５にて、「コントローラー５の稼動状態は稼動である」との状態情報が付加され、かつ、優先順位設定部１６にて稼動に対する優先順位は「優先度高である」との優先順位情報が付加された後、送信バッファ１７に格納される。
【００１７】
次いで、送信バッファ１７に格納された顧客ビル２の電気錠４の解錠情報は、稼動状態であるので、図２のステップＳ５に示すように、通信が実行されて、図２のステップＳ６に進み、通常送信プロセスか否かが判定される。
【００１８】
図２のステップＳ６において、通常送信プロセスと判定された場合には、図２のステップＳ７に進み、センター装置７の通常送信プロセス１８が選択されて、通信回線６を介して顧客ビル２のコントローラー５へ電気錠４の解錠情報が送信される。そして、コントローラー５は、センター装置７からの電気錠４の解錠情報を受信すると、電気錠４に解錠信号を送信する。ここで、顧客ＰＣ８からの顧客ビル２〜２Ｎの電気錠４〜４Ｎの解錠情報が、センター装置７に複数個、送信されてきても、それら複数個の解錠情報に優先順位情報が付加されて、送信バッファ１７に格納されており、その付加された優先順位情報に基づく優先順位にしたがって通信処理が行われる。
【００１９】
図２のステップＳ２において、通信手段１１から送信されてくる情報が、予め記憶装置１４に記憶(登録)された顧客ＰＣ８からであると判定されない場合には、図２のステップＳ８に進み、通信手段１１から送信されてくる情報が、立上げ試験用ＰＣ９からの情報か否かが判定される。その判定は、通信手段１１から送信されてくる立上げ試験用ＰＣ９を特定する情報と、予め記憶装置１４に記憶されている立上げ試験用ＰＣ９の特定情報とをつき合わせることによって、行われるとともに、記憶装置１４に記憶されている所定のメニュー画面が、通信手段１１から通信回線１０を介して立上げ試験用ＰＣ９に送信される。
【００２０】
次いで、図２のステップＳ８において、通信手段１１から送信されてくる立上げ試験用ＰＣ９を特定する情報が、予め記憶装置１４に記憶(登録)された立上げ試験用ＰＣ９からであると判定された場合には、図２のステップＳ１０に進み、その情報に対して、稼動状態識別部１５にてコントローラー５〜５Ｎの稼動状態に関する情報（状態情報）が付加され、かつ、優先順位設定部１６にて稼動に対する優先順位に関する情報(優先順位情報)が付加された後、図２のステップＳ４に進み、送信バッファ１７に格納される。すなわち、立上げ試験用ＰＣ９からセンター装置７の制御装置１２へ顧客ビル２Ｎの電気錠４Ｎの解錠に関する情報である場合には、その解錠に関する情報に、稼動状態識別部１５にてコントローラー５〜５Ｎの稼動状態は稼動であるとの状態情報が付加され、かつ、優先順位設定部１６にて稼動に対する優先順位は優先度低であるとの優先順位情報が付加された後、送信バッファ１７に格納される。
【００２１】
その後、送信バッファ１７に格納された顧客ビル２Ｎの電気錠４Ｎの解錠情報は、稼動状態であるので、図２のステップＳ５に示すように、通信が実行されて、図２のステップＳ６に進み、通常送信プロセスか否かが判定される。この場合には、通常送信プロセスではないので、図２のステップＳ１１に進み、センター装置７の試験送信プロセス１９が選択されて、通信回線６を介して顧客ビル２Ｎのコントローラー５Ｎへ電気錠４Ｎの解錠情報が送信されることで、顧客ビル２Ｎに対するセンター装置７の立上げ試験が実施される。
【００２２】
図２のステップＳ８において、通信手段１１から送信されてくる立上げ試験用ＰＣ９を特定する情報が、予め記憶装置１４に記憶(登録)された立上げ試験用ＰＣ９から出ないと判定された場合には、図２のステップＳ９に進み、通信を切断して強制的に完了させる。
【００２３】
以上にように、上記入退室管理システム１の動作手順によれば、顧客ＰＣ８からの通信要求と立上げ試験用ＰＣ９からの通信要求を識別するとともに、識別された通信要求は、それぞれ、コントローラー５、５Ｎの状態が少なくとも試験状態か通常状態かによって、優先順位が設定されて、優先の高いものは、回線の多い通常送信プロセス１８〜１８Ｎを使用して、かつ、優先の低いものは、一回線の試験送信プロセス１９を使用して、コントローラー５、５Ｎとの通信が行われるので、顧客ビル２に設置された電気錠４の解錠操作と、立上げ試験中の顧客ビル２Ｎに設置された電気錠４Ｎの解錠操作が、通信要求処理に対して競合せずお互いに影響を与えることないため、顧客の通信要求を処理するために、多数の通信回線を揃える必要がなくなる。
【００２４】
さらに、上記入退室管理システム１の動作手順によれば、センター装置７の通信手段１１が受信した情報が、顧客ＰＣ８からのアクセスによる情報若しくは立上げ試験用ＰＣ９からのアクセスによる情報でない場合には、強制的に通信が完了させられるので、安全である。
【００２５】
さらに、上記入退室管理システム１によれば、顧客の通信要求と立上げ試験中の通信要求につき、優先度を設定して、しかも、顧客の通信要求を立上げ試験中の通信要求よりも優先して、顧客ビル２〜２Ｎのコントローラー５〜５Ｎに送信するようにしたので、大口顧客からの通信要求に対しても、優先的に処理することが可能となり、顧客からの苦情を大幅に低減できる。
【００２６】
本発明によれば、上記入退室管理システム１の信頼性及びレスポンス性が向上し、その入退室管理システム１の普及に寄与し得るものである。なお、本発明は、上記実施形態に示す入退室管理システム１のみに限定されず、本発明の趣旨を包含する範囲で、応用変更が可能である。
【図面の簡単な説明】
【００２７】
【図１】本発明の一実施形態に係る入退室管理システムの構成を示すブロック図である。
【図２】本発明の一実施形態に係る入退室管理システムの動作手順を示すフローチャートである。
【符号の説明】
【００２８】
１    入退室管理システム
２〜２Ｎ    顧客ビル
３〜３Ｎ    カードリーダー
４〜４Ｎ    電気錠
５〜５Ｎ    コントローラー
６    通信回線
７    センター装置
８    顧客ＰＣ（顧客用指令装置）
９    立上げ試験用ＰＣ（試験用指令装置）
１０  通信回線
１１  通信手段
１２  制御装置
１３  表示装置
１４  記憶装置
１５  稼動状態識別部
１６  優先順位設定部
１７  送信バッファ
１８〜１８Ｎ  通常送信プロセス
１９  試験送信プロセス
【図１】
0004753748.tif 000002
【図２】
0004753748.tif 000003